(57)【要約】【課題】開状態では操作ハンドルがノズル本体から側方へ突き出し、その開状態の操作ハンドルを閉位置に移動したとき、操作ハンドルはノズル本体に近寄ってノズル本体とフラットな配置関係になり、操作ハンドルを誤操作することを阻止する消防ホース用ノズル装置を提供することを目的とする。【解決手段】放水弁を備えたノズル本体２に上記放水弁を開閉操作する操作ハンドル１５を設け、上記操作ハンドル１５は上記ノズル本体２の外面から突き出した起上状態で上記放水弁を開き、上記ノズル本体２の外面に近づけた倒伏状態で上記放水弁を閉じるようにした消防ホース用ノズル装置１である。【選択図】      図１
0003125104.tif 000002
【実用新案登録請求の範囲】
【請求項１】
放水用ノズルと放水弁を備えたノズル本体と、
上記放水弁を開閉操作する操作軸に取り付けられた操作ハンドルと、
を具備し、
上記操作ハンドルは上記ノズル本体の外面から突き出した起上状態で上記放水弁を開き、上記ノズル本体の外面に近づけた倒伏状態で上記放水弁を閉じることを特徴とする消防ホース用ノズル装置。
【請求項２】
上記操作ハンドルが倒伏状態でその操作ハンドルの少なくとも一部が落ち込む領域を上記ノズル本体の外面に形成したことを特徴とする請求項１に記載の消防ホース用ノズル装置。
【請求項３】
上記ノズル本体に消防ホース接続用エルボ管を接続し、上記エルボ管は上記ノズル本体から上記操作ハンドルの起上側に曲がり立ち上がることを特徴とする請求項１または請求項２に記載の消防ホース用ノズル装置。
【考案の詳細な説明】
【技術分野】
【０００１】
本考案は、放水弁を開閉して放水したりその放水を止めたりする操作ハンドルを備えた消防用ホースノズル装置に関する。
【背景技術】
【０００２】
従来の消防ホース用ノズル装置おいて、放水したりその放水を止めたりする操作ハンドルはノズル本体に対し、放水方向に対して１３５°の起上位置で開状態となり、４５°の起上位置で閉状態となる。操作ハンドルはノズル本体から常に側方へ突き出しているため、消防用ノズル装置を動かすときなどに操作ハンドルに消防士や他の物が当たって開状態となり、意図しない放水が始まることが予想される。このような事態を回避するためにハンドル部に操作ハンドルの回動を阻止するロック機構を設けることも考えられる。
【特許文献１】特開平７−２８４５４３号公報
【考案の開示】
【考案が解決しようとする課題】
【０００３】
しかし、側方へ突き出した操作ハンドルに消防士や他の物が当たって意図しない放水が突然に始まることを防止するためにロック機構を設けることは操作ハンドルに物が強く当たるなどの際に強度的に脆弱性を生むなどの難点がある。
【０００４】
本考案は前記課題に着目してなされたものであり、その目的とするところは操作ハンドルがノズル本体から側方へ突き出した開状態になり、その開状態の操作ハンドルを閉位置に移動したとき、操作ハンドルはノズル本体に近寄って倒伏し、いわばノズル本体とフラットな配置関係になり、操作ハンドルを誤操作することを阻止することにある。
【課題を解決するための手段】
【０００５】
請求項１に係る考案は、放水用ノズルと放水弁を備えたノズル本体と、上記放水弁を開閉操作する操作軸に取り付けられた操作ハンドルと、を具備し、上記操作ハンドルは上記ノズル本体の外面から突き出した起上状態で上記放水弁を開き、上記ノズル本体の外面に近づけた倒伏状態で上記放水弁を閉じることを特徴とする消防ホース用ノズル装置である。
【０００６】
請求項２に係る考案は、上記操作ハンドルが倒伏状態でその操作ハンドルの少なくとも一部が落ち込む領域を上記ノズル本体の外面に形成したことを特徴とする請求項１に記載の消防ホース用ノズル装置である。
【０００７】
請求項３に係る考案は、上記ノズル本体に消防ホース接続用エルボ管を接続し、上記エルボ管は上記ノズル本体から上記操作ハンドルの起上側に曲がり立ち上がることを特徴とする請求項１または請求項２に記載の消防ホース用ノズル装置である。
【考案の効果】
【０００８】
請求項１に係る考案では、放水停止時に操作ハンドルが側方へ極力突き出さない位置に待機するので、ノズル装置を移動する等の作業中、操作ハンドルに対して誤って物や手が当ることを極力防止でき、意図しない放水が突然に始まる誤操作を極力避けることができる。
【０００９】
請求項２に係る考案は、上記操作ハンドルが倒伏状態でその操作ハンドルが落ち込む領域を上記ノズル本体の外面に形成したので、放水停止時に操作ハンドルの側方への突き出し量を、より一層抑えることができる。
【００１０】
請求項３に係る考案では、ノズル本体から操作ハンドルの起上側に曲がり立ち上がるエルボ管を設けたので、このエルボ管によっても操作ハンドルに物や手が当ることを極力防止できるようになる。
【考案を実施するための最良の形態】
【００１１】
図１及び図２に基づいて本考案の第１の実施形態に係る放水器具としての消防ホース用ノズル装置を説明する。この実施形態の消防ホース用ノズル装置１は棒状放水から広角噴霧放水までの様々な放水パターンを選択できるノズル機能を備えるとともに、ノズル部の放水パターンを切り換えたときの反動力の変化を少なくするために安定した流量で放水する定流量弁（図示しない。）が後述するノズル本体２に組み込まれている。ノズル本体２には後述するハンドルにより開閉操作される放水弁（図示しない。）が設けられている。
【００１２】
図１に示すように、ノズル本体２は真っ直ぐな鞘状のものであり、このノズル本体２の出口端には先端ノズル３が連結されている。ノズル本体２の入口側端には継手４を介して消防ホース接続用エルボ管５が連結されている。エルボ管５はノズル本体２の中心軸Ｌに位置する継手４の部分から湾曲し始めて上方へ立ち上がり、ノズル本体２の中心軸に対して平行になるようにホース側直管６となり、ホース側直管６の後端にはホースを接続するための口金７が設けられている。上記定流量弁はこのホース側直管６内に組み込まれている。図２に示すように、先端ノズル３には噴霧用回転櫛歯８が設けられている。
【００１３】
ノズル本体２の中心軸Ｌに対して上方へ偏ったエルボ管５の下面には片手で把持可能な形状のグリップ９が略下方へ僅か斜め後方に向けて突き出して設けられており、グリップ９を手で握り、ノズル装置１全体を把持するいわゆるピストルタイプまたはガンタイプの把持形式となっている。グリップ９はノズル本体２の中心軸Ｌに対して上方へ偏ったエルボ管５の下面から下方へ向けて突き出しているため、手でグリップ９を把持する位置はノズル本体２の放水方向中心軸Ｌの延長上に位置するようになる。したがって、グリップ９を把持する手に受ける放水による反動力によるトルクが小さくなり、ノズル装置１の安定性を高める。
【００１４】
また、ノズル本体２には、放水パターンを選択するときに回転操作するパターン調節リング１０と、流量調節するときに回転操作する流量調節リング１１とが設けられている。調節リング１０，１１はノズル本体２に対して同軸に設けられ、ノズル本体２の放水方向中心軸Ｌ周りに回転操作自在に取り付けられている。このため、放水中でも調節リング１１、１２を安定的に操作できる。
【００１５】
パターン調節リング１０を含む先端ノズル側領域は先端ノズル３および流量調節リング１１の部分よりも外径が小さくなっており、ノズル本体２は先端ノズル３等の先端側部分よりも小径な部分１２を形成している。この小径な部分１２は流量調節リング１１の部分を含みように形成しなくともよく、後述する操作ハンドル１５を倒伏したときにその操作ハンドル１５の操作端部分１６の少なくとも一部を落し込める落込み領域として形成すればよい。
【００１６】
ノズル本体２の途中部位には上記放水弁を開閉する操作ハンドル１５が前後方向に傾倒自在に枢着されている。操作ハンドル１５は上記放水弁を開く位置で、図１に示すように横から見たとき、ノズル本体２の部分から上方へ斜め後方に向かって延び、先端の操作端部分１６がノズル本体２の放水方向中心軸Ｌに対して垂直な上方へ延びており、図１に示すように横から見たとき、全体として略「く」の字状に屈曲している。操作ハンドル１５の基端部は左右二又に分かれ、ノズル本体２の左右側面においてノズル本体２の上下中心に位置する上記放水弁の操作軸１７に固定されている。
【００１７】
そして、図１に実線で示す位置に操作ハンドル１５を起上させたとき、上記放水弁は開の状態になり、放水ポジションをとる。操作端部分１６の先端は上方に位置したホース側直管６または口金７の上方周面位置がノズル本体２の中心軸Ｌ側に下がる低い位置になる程度であることが望ましい。つまり、操作ハンドル１５の後方にエルボ管５が立ち上がっているので、ノズル装置１を移動する等の作業中、操作ハンドル１５に対して誤って物や手が当ててしまう等の誤操作を極力防止できる。
【００１８】
図１に想像線で示すように操作ハンドル１５を前方に倒伏させたとき、上記放水弁は閉の状態にある。このとき、操作端部分１６はノズル本体２の放水方向中心軸Ｌに対して略平行な位置になり、ノズル本体２の上記小径な部分１２内に落ち込み、その小径な部分１２の上面に略重なり、ノズル本体２の周面に近接配置される。このため、操作ハンドル１５が側方へ極力突き出さないで、ノズル本体２に近づいて退避する形になる。このように操作ハンドル１５の少なくとも一部が上記小径な部分１２内に落ち込み退避する状態を放水停止ポジションとする。
【００１９】
また、この放水停止ポジションでは操作ハンドル１５が側方へ極力突き出さない位置状態にあるので、ノズル装置１を移動する等の作業中、操作ハンドル１５に対して誤って物や手が当ててしまう等の誤操作を極力防止できる。
【００２０】
図３は本考案の第２の実施形態に係る消防用ノズル装置を示す。この第２の実施形態での消防用ノズル装置１は上述した第１の実施形態での操作ハンドル１５の形状を変更した例である。この第２の実施形態での操作ハンドル１５は上記放水弁を開く位置で、図３に示すように横から見たとき、実線で示すようにノズル本体２の放水方向中心軸Ｌに対して略垂直な上方へ延びた後、先端の操作端部分１６がノズル本体２の放水方向中心軸Ｌに対して略平行に後方へ逆Ｌ字状の反転形状に屈曲している。また、想像線で示す上記放水弁を閉じる位置では操作ハンドル１５が倒伏し、操作端部分１６がノズル本体２の周面に近接配置される。特に操作端部分１６が位置する部分を特に小径な部分１２ａとし、この小径な部分１２ａに操作ハンドル１５の操作端部分１６を深く落とし込めるようになっている。したがって、本実施形態の場合のように操作端部分１６が後方へ屈曲しているものでも、その操作端部分１６の突き出しを小さくできる。この他は上述した第１の実施形態に係る消防用ノズル装置と同様である。
【００２１】
図４に基いて本考案の第３の実施形態に係る消防用ノズル装置を説明する。この第３の実施形態での消防用ノズル装置１はグリップ９をノズル本体２の後端部下面に取り付けたものであり、グリップ９を手で握り、ノズル装置１全体を把持するいわゆるピストルタイプの把持形式となっている。また、グリップ９はノズル本体２に対して着脱自在であり、上述した第１の実施形態でのエルボ管５をノズル本体２に連結することにより上述した第１の実施形態の把持形式に変更可能である。また、ノズル本体２に対するグリップ９の取付け位置は、ノズル本体２の放水方向中心軸Ｌの前後方向に対して上記操作ハンドル１５の枢着位置と略一致している。したがって、上記操作ハンドル１５を操作する際、グリップ９に加わるハンドル操作力のトルクが小さくなり、操作安定性が良い。操作ハンドル１５及びノズル本体２の小径な部分１２は上述した第２の実施形態のものと同様である。この他は上述した第１の実施形態に係る消防用ノズル装置と同様である。
【００２２】
なお、本考案は前述した実施形態のものに限定されるものではなく、他の形態にも適用可能である。
【図面の簡単な説明】
【００２３】
【図１】本考案の第１の実施形態に係る消防用ノズル装置の側面図。
【図２】同じく本考案の第１の実施形態に係る消防用ノズル装置の正面図。
【図３】本考案の第２の実施形態に係る消防用ノズル装置の側面図。
【図４】本考案の第３の実施形態に係る消防用ノズル装置の側面図。
【符号の説明】
【００２４】
Ｌ…放水方向中心軸
１…消防ホース用ノズル装置
２…ノズル本体
３…先端ノズル
９…グリップ
１１…流量調節リング
１２…小径部分
１５…操作ハンドル
１６…操作端部分
１７…操作軸
【図１】
0003125104.tif 000003
【図２】
0003125104.tif 000004
【図３】
0003125104.tif 000005
【図４】
0003125104.tif 000006